(57)【要約】      （修正有）【課題】６００ｄｐｉ印刷において、ぼけているか又は曖昧な端部を有する問題を解決して、両側に鮮明な端部を有するダブル又はマルチプルピクセルの印刷方法、さらに、鮮明な端部のダブル又はマルチプルピクセルの高解像度な画像を高頻度で形成する２径路の二方向印刷方法を提供する。【解決手段】紙のシート又はウェブにピクセル画像を印刷する方法であって、かかるプリンタは第一方向の第一径路及び反対の第二方向の第二径路に沿って紙のシート又はウェブを横切って反復するプリンタヘッドを有し、かかるピクセル画像は、第一及び第二方向で考慮されている画像の先行又は上流端部で位置される第一及び第二ピクセルを含んで、第一及び第二方向で見られるように互いに隣接して位置する複数のピクセルから構成され、かかるプリンタヘッドは、第一及び第二方向にそれぞれ移動する場合にだけ第一及び第二ピクセルを形成する。【選択図】図２Ｂ
2004155192.tif 000002
【特許請求の範囲】
【請求項１】
インクジェットプリンタを用いて紙のシート又はウェブにピクセル画像を印刷する方法であって、前記プリンタは第一方向の第一径路及び反対の第二方向の第二径路に沿って前記紙のシート又はウェブを横切って反復するプリンタヘッドを有し、前記ピクセル画像は、前記第一及び第二方向で考慮されている前記画像の先行又は上流端部で位置される第一及び第二ピクセルを含んで、前記第一及び第二方向で見られるように互いに隣接して位置する複数のピクセルから構成され、前記プリンタヘッドは、前記第一及び第二方向にそれぞれ移動する場合にだけ前記第一及び第二ピクセルを形成するためのインク小滴を放出するように制御され、前記画像上を往復することを特徴とする方法。
【請求項２】
インクジェットプリンタを用いて紙のシート又はウェブにピクセル画像を印刷する方法であって、前記プリンタは第一解像度による架空ラインの第一グリッドの形態での前記ピクセル画像に対応する入力画像を記憶するための手段を有し、前記プリンタは前記複数の第一解像度である、第二解像度による架空ラインの第二グリッドの形態での前記ピクセル画像を印刷するために適応されており、前記プリンタは少なくとも一つのノズルを備えるプリンタヘッドを有しており、前記方法において、前記プリンタは前記記憶手段に記録された前記入力画像と一致して前記プリンタヘッドを操作するための制御手段を備えて提供され、前記プリンタヘッドは第一方向の第一径路及び反対の第二方向の第二径路に沿って前記紙のシート又はウェブを横切って反復移動を行ない、前記ピクセル画像は前記第一方向での前記プリンタヘッドの移動に関して上流の端部を形成する、第一端部に位置する第一ピクセルを有し、さらに前記ピクセル画像は前記第二方向での前記プリンタヘッドの移動に関して上流の端部を形成する、第二端部に位置する第二ピクセルを有し、前記第一端部のすべての第一ピクセルは、前記第一方向に移動する場合の位置で前記第一端部と一致する第二グリッドのラインでインク小滴を放出する前記制御手段による前記プリンタヘッドノズルの活性によって印刷されて、さらに、前記第二端部のすべての第二ピクセルは、前記第二方向に移動する場合の位置で前記第二端部と一致する第二グリッドのラインでインク小滴を放出する前記制御手段による前記プリンタヘッドノズルの活性によって印刷されることを特徴とする方法。
【請求項３】
前記第二又はプリンタの解像度は、前記第一又は入力画像の解像度の２倍であり、特に６００ｄｐｉであることを特徴とする請求項１又は２による方法。
【請求項４】
前記ピクセル画像はライン形状であることを特徴とする請求項１、２又は３による方法。
【請求項５】
前記第一及び第二方向に横行するラインにしたがって配置されたノズルの第一及び第二列を有するプリンタヘッドが活用されて、前記ノズルの第一列は、前記第一方向に移動する場合に前記プリンタヘッドの前記下流側に位置され、前記ノズルの第二列は、前記第二方向に移動する場合に前記プリンタヘッドの前記下流側に位置され、前記第一ピクセルは前記ノズルの第一列を活性することで印刷され、前記第二ピクセルは前記ノズルの第二列によって印刷されることを特徴とする前述までの請求項の何れか一つに記載の方法。
【発明の詳細な説明】
【技術分野】
【０００１】
本発明は、印刷方法に関し、より詳細には二方向印刷方法に関する。さらに、より詳細には、本発明は、出力画像の２倍の解像度より２倍以上の解像度を有するインクジェット又はレーザージェットプリンタを用いる印刷方法に関する。
【背景技術】
【０００２】
かかる方法は、例えば、６００ｄｐｉプリンタが３００ｄｐｉのビットマップを印刷することを可能にすることで知られている。
【０００３】
印刷において、ピクセルを形成するためにプリンタヘッドノズルから放出された小滴は、球状の先行部分と細長い尾部分とを有する。かかる小滴がノズルから落ちる段階で、この尾部分は、２つ以上の小滴部分に分割されるかもしれない。印刷作業段階において、プリンタヘッドが連続移動を実行するという事実により、尾部分又は尾部分が分割された小滴部分が、特に紙である、印刷表面に到達する前に、球状部分が印刷表面に到達する。ピクセルを形成するためにプリンタの高解像度に基づくグリッドによる所望の位置で、球状部分は紙を打ちつける。しかしながら、小滴の残りの部分は、プリンタヘッドの移動方向においてピクセルの中心から離れた位置で紙を打ちつけ、小さなサテライトピクセルを形成する。
【０００４】
周知の印刷方法により、例えば、６００ｄｐｉの解像度におけるダブルピクセルは、移動方向に対して垂直に配置された２列のノズルを有する往復運動するプリンタヘッドを使用して印刷され、移動方向で見られるように、ノズルの先行する列は、形成されるダブルピクセルのトレイリングの側に位置されたピクセルを形成するインク小滴を放出するために活性化される。結果として、サテライトはピクセルの下流側で紙を打ちつけるだろう。この処理による結果の画像は、６００ｄｐｉ印刷において許容し難い、ぼけているか又は曖昧な端部を有する。
【０００５】
印刷が２径路の二方向モードにより実行される場合、この作用はさらに顕著である。かかる二方向モードにおいて、第一列では、ノズルの先行する列の第一部分が活性化されて、隣接する、第二列ではノズルのトレイリング列の第二部分が活性化される。サテライトは画像の端の不規則な外観を強調する、多かれ少なかれ段階状の端に帰着する、第一列のみにおいてダブルピクセルの列の端に沿って現われるだろう。
【０００６】
この問題の解決策を見つける試みにおいて、小滴の球状部分によって形成されるピクセルの中心位置と、小滴の尾部分が紙を打ちつける位置との間の距離を減じるように、プリンタヘッドの移動速度を遅くすることが提案されている。しかしながら、この解決策において、印刷時間は印刷効率の低下を促進しうる。
【発明の開示】
【発明が解決しようとする課題】
【０００７】
本発明の目的は、上に記載の問題を解決することである。
【０００８】
本発明のさらなる目的は、両側に鮮明な端部を有するダブル又はマルチプルピクセルの印刷方法を提供することである。
【０００９】
また、本発明のさらなる目的は、鮮明な端部のダブル又はマルチプルピクセルの高解像度な画像を高頻度で形成する、２径路の二方向印刷方法を提供することである。
【課題を解決するための手段】
【００１０】
本発明による一つの態様によると、本発明の目的は、インクジェット又はレーザージェットプリンタを用いて紙のシート又はウェブにピクセル画像を印刷する方法によって実現され、かかるプリンタは第一解像度による架空ラインの第一グリッドの形態でのピクセル画像に対応する入力画像を記憶するための手段を有し、かかるプリンタは複数の第一解像度である、第二解像度による架空ラインの第二グリッドの形態でのピクセル画像を印刷するために適応されており、かかるプリンタは少なくとも一つのノズルを備えるプリンタヘッドを有しており、かかる方法において、かかるプリンタは記憶手段に記録された入力画像と一致してプリンタヘッドを操作するための制御手段を備えて提供され、かかるプリンタヘッドは第一方向の第一径路及び反対の第二方向の第二径路に沿って紙のシート又はウェブを横切って反復移動を行ない、かかるピクセル画像は第一方向でのプリンタヘッドの移動に関して上流の端部を形成する、第一端部に位置する第一ピクセルを有し、さらにかかるピクセル画像は第二方向でのプリンタヘッドの移動に関して上流の端部を形成する、第二端部に位置する第二ピクセルを有し、第一端部のすべての第一ピクセルは、第一方向に移動する場合の位置で第一端部と一致する第二グリッドのラインでインク小滴を放出する制御手段によるプリンタヘッドノズルの活性によって印刷されて、さらに、第二端部のすべての第二ピクセルは、第二方向に移動する場合の位置で第二端部と一致する第二グリッドのラインでインク小滴を放出する制御手段によるプリンタヘッドノズルの活性によって印刷される。
【００１１】
第二の態様によると、本発明は、インクジェット又はレーザージェットプリンタを用いて紙のシート又はウェブにピクセル画像を印刷する方法を提供し、かかる方法において、かかるプリンタは複数の入力画像の解像度である解像度を有し、かかるプリンタは第一方向の第一径路及び反対の第二方向の第二径路に沿って紙のシート又はウェブを横切って反復移動を行ない、かかるピクセル画像は、第一及び第二方向で考慮されている画像の先行又は上流端部で位置される第一及び第二ピクセルを含んで、第一及び第二方向で見られるように互いに隣接して位置する複数のピクセルから構成され、かかるプリンタヘッドは、第一及び第二方向にそれぞれ移動する場合にだけ第一及び第二ピクセルを形成するためのインク小滴を放出するように制御される。
【００１２】
本発明による方法において、サテライトは常に紙をダブル又はマルチプルピクセルの目的とするエリア内の位置、換言すると、インクによってカバーされることを目的とするエリアの位置で打ちつける。結果として、印刷速度を減衰することなく、印刷された画像のエッジは鮮明になるであろう。
【００１３】
さらなる実施態様において、第二又はプリンタの解像度は、第一又は入力画像の解像度の２倍であり、特に６００ｄｐｉである。
【００１４】
本発明による方法の有利な実施態様において、第一及び第二方向に横行するラインにしたがって配置されたノズルの第一及び第二列を有するプリンタヘッドが活用されており、ノズルの第一列は、第一方向に移動する場合にプリンタヘッドの下流側に位置され、ノズルの第二列は、第二方向に移動する場合にプリンタヘッドの下流側に位置され、第一ピクセルはノズルの第一列を活性することで印刷され、第二ピクセルはノズルの第二列によって印刷される。
【発明の効果】
【００１５】
本発明の効果は、６００ｄｐｉ印刷において許容し難い、ぼけているか又は曖昧な端部を有する問題を解決して、両側に鮮明な端部を有するダブル又はマルチプルピクセルの印刷方法を提供し、さらに、鮮明な端部のダブル又はマルチプルピクセルの高解像度な画像を高頻度で形成する、２径路の二方向印刷方法を提供することができる。
【発明を実施するための最良の形態】
【００１６】
本発明は、添付図に基づいて明白にされるだろう。
【００１７】
図１Ａにおいて、ノズル１０からインク小滴２が放出する段階における、インクジェット又はレーザージェットプリンタのヘッド１が示されている。インク小滴２は、下部の球状部分３と細長い尾部分４とを有する。
【００１８】
しばらく下方向に移動した後、インク小滴２の、特に細長い尾部分４は、尾部分４ａ及び４ｂが図１Ｂに示されるように、２つ以上の尾部分に分割するであろう。
【００１９】
プリンタヘッド１０は、紙のシート５に関して方向Ａで移動し、結果として、球状部分３と尾部分４ａ及び４ｂは、図１Ｃに示されるように方向Ａで互いに離れた位置で紙のシート５を打ちつけるだろう。
【００２０】
図２Ａにおいて、ノズル１０ａ乃至ｈ及び１１ａ乃至ｈの２つの列ｈ１、ｈ２を有するプリンタヘッド１が概略的に示される。２つの列は互いに距離ｄで離れている。
【００２１】
さらに、図２Ａで紙のシート５が示されており、同様に、グリッドライン７とグリッドライン８の架空のグリッドは、互いに距離ｄで離れている。これは、例えば、ｄが１／６００インチである、６００ｄｐｉグリッドに相当する。
【００２２】
図２Ａ及び２Ｂは、２径路の二方向印刷と呼ばれる工程を示す。この工程によると、画像の印刷は２つの重なる列で実行され、第一列は左から右への方向（Ａ）であり、第二の重なる列は反対方向（Ｂ）である。
【００２３】
したがって、ノズル１０ａ乃至ｈ及び１１ａ乃至ｈは第一列で活性であり、さらにノズル１０ａ乃至ｈ及び１１ａ乃至ｈは第二列で活性である。
【００２４】
プリンタヘッド１が方向Ａで移動した場合、プリンタの制御システム（示されていない）は、インク小滴の球状部分３がグリッド６のライン７ａで紙のシート５を打ちつけるように、ノズル１０ａ乃至ｈがインク小滴２を放出するように活性する。尾部分４ａ、４ｂ又はサテライトは、球状部分３の下流側で紙のシート５を打ちつけるだろう。
【００２５】
図２Ｂに描写される、リターンストロークにおいて、プリンタヘッド１は、方向Ｂに戻って移動され、その場合において、プリンタヘッド１はノズル１１ａ乃至ｈに、インク小滴の球状部分３がグリッドライン７ｂで紙のシート５を打ちつけるように、放出されたインク小滴２を有するために活性化される。サテライト４ａ、４ｂは、ライン７ａと７ｂとの間のエリアで紙を打ちつけるだろう。
【００２６】
この方法で、一連のダブルピクセル９は形成されて、例えば、この実施例では、一連の３００ｄｐｉピクセルであるように形成するラインを形成する。
【００２７】
サテライトが常にダブルピクセル内で紙のシート５を打ちつけるという事実により、各ラインの外端部は鮮明になり、多数のラインを含む画像もまた鮮明になるであろう。
【００２８】
これは、鮮明な端部１２ａ及び１２ｂを有するライン１２の手段によって図３に示される。
【００２９】
図４において、本発明による方法を使用して任意の画像が印刷できることが示される。各画像はダブルピクセルに対応するプリンタヘッドの移動方向における大きさを有してよい。各画像（６００ｄｐｉ）は、３００ｄｐｉの画像を形成する、ダブルピクセルの画像に変換される。画像部分の正確が外観を知らなくても、本発明は、すべてのサテライトピクセルがダブルピクセルの境界内であることを保証する。上に記載したすべての場合において、画像１３の境界ライン１３ａ、１３ｂを形成するために必要とされるインク小滴は、サテライト４ａ、４ｂが常にライン１３ａ乃至１３ｂ間のエリアで紙のシートを打ちつける結果となる、プリンタヘッドが方向Ａ及びＢでそれぞれ移動する場合に放出されるように、プリンタヘッドは活性される。
【００３０】
本発明は、２列のノズル（１０ａ乃至ｈ及び１１ａ乃至ｈ）を有するインクジェットヘッドだけでなく、本発明で使用できる単一列を有するヘッドを記載する。
【図面の簡単な説明】
【００３１】
【図１Ａ】プリンタヘッドのノズルからのインク小滴の放出を概略して示す図である。
【図１Ｂ】紙のシートを打ちつける直前のインク小滴を概略して示す図である。
【図１Ｃ】互いに離れた位置で紙のシートを打ちつけるインク小滴の球状部分及び細長い尾部分が分割された尾部分を概略して示す図である。
【図２Ａ】２段階でのダブルピクセル３０の適用を概略して示す図である。
【図２Ｂ】２段階でのダブルピクセル３０の適用を概略して示す図である。
【図３】本発明による方法により印刷されたラインの一部分を示す図である。
【図４】本発明による方法により得られる別の画像を示す図である。
【符号の説明】
【００３２】
１      ヘッド
２      インク小滴
３      球状部分
４      細長い尾部分
４ａ    尾部分
４ｂ    尾部分
５      紙のシート
６      グリッド
７ａ    ライン
７ｂ    ライン
８      グリッドライン
９      ダブルピクセル
１０    ノズル
１０ａ  ノズル
１０ｂ  ノズル
１０ｃ  ノズル
１０ｄ  ノズル
１０ｅ  ノズル
１０ｆ  ノズル
１０ｇ  ノズル
１０ｈ  ノズル
１１ａ  ノズル
１１ｂ  ノズル
１１ｃ  ノズル
１１ｄ  ノズル
１１ｅ  ノズル
１１ｆ  ノズル
１１ｇ  ノズル
１１ｈ  ノズル
１２    ライン
１２ａ  鮮明な端部
１２ｂ  鮮明な端部
１３    画像
１３ａ  境界ライン
１３ｂ  境界ライン
【図１Ａ】
2004155192.tif 000003
【図１Ｂ】
2004155192.tif 000004
【図１Ｃ】
2004155192.tif 000005
【図２Ａ】
2004155192.tif 000006
【図２Ｂ】
2004155192.tif 000007
【図３】
2004155192.tif 000008
【図４】
2004155192.tif 000009